【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ヌルデータパケット（ＮＤＰ）フレームを受信することを意図された局に少なくとも部分的に基づいて、前記ＮＤＰフレームのための拡張部分の持続時間を決定することと、
レガシープリアンブル部分と、非レガシー部分と、前記拡張部分とを有する物理レイヤプリアンブルを備える前記ＮＤＰフレームを生成することと、ここにおいて、前記拡張部分が、高効率（ＨＥ）信号情報とパディング波形とからなるグループからの１つのメンバーである、
前記ＮＤＰフレームを送信することと
を備える、方法。
【請求項２】
前記ＮＤＰフレームが、前記ＮＤＰフレームを受信することを意図された前記局によって処理されるべきであるとき、前記ＮＤＰフレームの前記拡張部分が、ショートフレーム間スペース（ＳＩＦＳ）に対して、前記ＮＤＰフレームを処理するために十分な、推定された追加の時間を与えるために、前記局によって使用されるべきである、または
前記拡張部分の前記持続時間を決定することが、
前記ＮＤＰフレームを受信することを意図された前記局に関連するＩＥＥＥ８０２．１１物理レイヤ仕様に少なくとも部分的に基づいて、前記拡張部分の前記持続時間を決定すること
をさらに備える、請求項１に記載の方法。
【請求項３】
前記ＮＤＰフレームを生成することが、
前記ＮＤＰフレームに応答して与えられるべきチャネル状態情報（ＣＳＩ）応答のためのＣＳＩパラメータを決定することと、
前記ＣＳＩパラメータの指示を前記ＮＤＰフレーム中に含めることと
を備える、または
前記ＮＤＰフレームを生成することが、
前記ＮＤＰフレームを受信することを意図された前記局のための制御情報を決定することと、
前記制御情報を前記ＮＤＰフレーム中に含めることと
をさらに備え、
特に、前記制御情報は、前記フレームがＮＤＰフレームであるという指示を備え、
さらに、特に、前記ＮＤＰフレームがＨＥ信号フィールドを含み、ここにおいて、前記ＨＥ信号フィールド中の少なくとも１ビットは、前記フレームがＮＤＰフレームであることを示す、または
さらに、特に、前記フレームがＮＤＰフレームであるという前記指示が、レガシー信号フィールド中の長さインジケータの値を備える、請求項１に記載の方法。
【請求項４】
前記ＮＤＰフレームを生成することが、
ＨＥ−ＳＩＧ−Ａとして指定される第１のＨＥ信号フィールドと、前記第１の信号フィールドとは異なる第２のＨＥ信号フィールドとを含むように、前記非レガシー部分を生成すること
を備える、請求項１に記載の方法。
【請求項５】
前記ＮＤＰフレームを生成することが、
少なくとも１つの追加の局のための制御情報を決定することと、
前記制御情報を前記第１のＨＥ信号フィールド中に含めることと
をさらに備える、または
前記ＮＤＰフレームを生成することが、
少なくとも１つの追加の局のための制御情報を決定することと、
前記制御情報を前記第２のＨＥ信号フィールド中に含めることと
をさらに備える、請求項４に記載の方法。
【請求項６】
前記第２のＨＥ信号フィールドがＨＥショートトレーニングフィールド構造を備えるか、または
前記第２のＨＥ信号フィールドがＨＥロングトレーニングフィールド構造を備え、
特に、前記拡張部分の前記持続時間を前記決定することが、
前記ＨＥロングトレーニングフィールド構造中の少なくともＨＥロングトレーニングフィールドの数に少なくとも部分的に基づいて、前記拡張部分の前記持続時間を決定すること、または
前記物理レイヤプリアンブルの前記レガシー部分中の少なくとも長さフィールドに少なくとも部分的に基づいて、前記拡張部分の前記持続時間を決定すること、ここにおいて、前記長さフィールドが、前記ＨＥロングトレーニングフィールド構造中のＨＥロングトレーニングフィールドの数に少なくとも部分的に基づく、
をさらに備える、請求項４に記載の方法。
【請求項７】
前記第２のＨＥ信号フィールドが、前記ＮＤＰフレームに対する応答のためのアップリンクマルチユーザリソースの割振りの指示を備える、または
前記第２のＨＥ信号フィールドが、チャネル状態情報の局ごとのパラメータ表示に関連する情報を備える、
請求項４に記載の方法。
【請求項８】
前記拡張部分がパディング波形であり、前記パディング波形が、前記第２のＨＥ信号フィールドとは異なる第３のＨＥ信号フィールドを備え、
特に、前記第３のＨＥ信号フィールドが、前記ＮＤＰフレームに対する応答のためのアップリンクマルチユーザリソースの割振り、または、チャネル状態情報の局ごとのパラメータ表示を備える、または
特に、前記ＮＤＰフレームを前記送信することが、
２０ＭＨｚチャネル上の単一の空間ストリームとして前記第３のＨＥ信号フィールドを送信すること、または
２つまたはそれ以上の２０ＭＨｚチャネルにわたる複製された空間スチームとして前記第３のＨＥ信号フィールドを送信すること
をさらに備える、請求項４に記載の方法。
【請求項９】
前記拡張部分は、情報がないパディング波形である、または
前記拡張部分が、物理レイヤ情報を有するパディング波形である、または
前記ＮＤＰフレームを生成することが、ＨＥショートトレーニングフィールドを除外することをさらに備える、または
前記拡張部分の持続時間が、前記物理レイヤプリアンブルの前記非レガシー部分中のＨＥ信号フィールド中で示される、請求項１に記載の方法、または
ＨＥサウンディングプロシージャを示す情報を備えるＮＤＰ告知（ＮＤＰＡ）フレームを生成することと、
前記ＮＤＰフレームを送信するより前に前記ＮＤＰＡフレームを送信することと
をさらに備える、請求項１に記載の方法。
【請求項１０】
通信デバイスであって、
ヌルデータパケット（ＮＤＰ）フレームを受信することを意図された局に少なくとも部分的に基づいて、前記ＮＤＰフレームのための拡張部分の持続時間を決定するための手段と、
レガシープリアンブル部分と、非レガシー部分と、前記拡張部分とを有する物理レイヤプリアンブルを備える前記ＮＤＰフレームを生成するための手段と、ここにおいて、前記拡張部分が、高効率（ＨＥ）信号情報とパディング波形とからなるグループからの１つのメンバーである、
前記ＮＤＰフレームを送信するための手段と
を備える、通信デバイス。
【請求項１１】
前記ＮＤＰフレームが、前記ＮＤＰフレームを受信することを意図された前記局によって処理されるべきであるとき、前記ＮＤＰフレームの前記拡張部分が、ショートフレーム間スペース（ＳＩＦＳ）に対して、前記ＮＤＰフレームを処理するために十分な、推定された追加の時間を与えるために、前記局によって使用されるべきである、請求項１０に記載の通信デバイス。
【請求項１２】
前記ＮＤＰフレームを生成するための前記手段が、
前記ＮＤＰフレームに応答して与えられるべきチャネル状態情報（ＣＳＩ）応答のためのＣＳＩパラメータを決定するための手段と、
前記ＣＳＩパラメータの指示を前記ＮＤＰフレーム中に含めるための手段と
をさらに備える、または
前記ＮＤＰフレームを生成するための前記手段が、
前記ＮＤＰフレームを受信することを意図された前記局のための制御情報を決定するための手段と、
前記制御情報を前記ＮＤＰフレーム中に含めるための手段と
をさらに備える、または
前記ＮＤＰフレームを生成するための前記手段が、
ＨＥ−ＳＩＧ−Ａとして指定される第１のＨＥ信号フィールドと、前記第１の信号フィールドとは異なる第２のＨＥ信号フィールドとを含むように、前記非レガシー部分を生成するための手段
を備える、請求項１０に記載の通信デバイス、または
ＨＥサウンディングプロシージャを示す情報を備えるＮＤＰ告知（ＮＤＰＡ）フレームを生成するための手段と、
前記ＮＤＰフレームを送信するより前に前記ＮＤＰＡフレームを送信するための手段と
をさらに備える、請求項１０に記載の通信デバイス。
【請求項１３】
ワイヤレス通信のための方法であって、
レガシープリアンブル部分と、非レガシー部分と、拡張部分とを有する物理プリアンブルを備えるヌルデータパケット（ＮＤＰ）フレームを受信することと、ここにおいて、前記拡張部分が、高効率（ＨＥ）信号情報とパディング波形とからなるグループからの１つのメンバーである、
前記ＮＤＰフレームを処理することと
を備え、
前記ＮＤＰフレームを処理することが、
ショートフレーム間スペース（ＳＩＦＳ）に対して、前記ＮＤＰフレームを処理するために十分な、推定された追加の時間を与えるために、前記ＮＤＰフレームの前記拡張部分を使用すること
を備える、方法。
【請求項１４】
通信デバイスであって、
レガシープリアンブル部分と、非レガシー部分と、拡張部分とを有する物理プリアンブルを備えるヌルデータパケット（ＮＤＰ）フレームを受信するための手段と、ここにおいて、前記拡張部分が、高効率（ＨＥ）信号情報とパディング波形とからなるグループからの１つのメンバーである、
前記ＮＤＰフレームを処理するための手段と、
ショートフレーム間スペース（ＳＩＦＳ）に対して、前記ＮＤＰフレームを処理するために十分な、推定された追加の時間を与えるために、前記ＮＤＰフレームの前記拡張部分を使用するための手段と
を備える、通信デバイス。
【請求項１５】
請求項１乃至９、または請求項１３のうちのいずれか一項に記載の方法を行うための命令を備える、コンピュータプログラム。
【手続補正２】
【補正対象書類名】明細書
【補正対象項目名】０１８１
【補正方法】変更
【補正の内容】
【０１８１】
[0201]本開示についての以上の説明は、当業者が本開示を作成または使用することができるように与えたものである。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
［Ｃ１］
ワイヤレス通信のための方法であって、
レガシープリアンブル部分と、非レガシー部分と、拡張部分とを有する物理レイヤプリアンブルを備えるヌルデータパケット（ＮＤＰ）フレームを生成することと、ここにおいて、前記拡張部分が、高効率（ＨＥ）信号情報とパディング波形とからなるグループからの１つのメンバーである、
前記ＮＤＰフレームを送信することと
を備える、方法。
［Ｃ２］
前記ＮＤＰフレームを受信することを意図された局に少なくとも部分的に基づいて、前記拡張部分の持続時間を決定すること
をさらに備え、
ここにおいて、前記ＮＤＰフレームが、前記ＮＤＰフレームを受信することを意図された前記局によって処理されるべきであるとき、前記ＮＤＰフレームの前記拡張部分が、ショートフレーム間スペース（ＳＩＦＳ）に対して、前記ＮＤＰフレームを処理するために十分な、推定された追加の時間を与えるために、前記局によって使用されるべきある、Ｃ１に記載の方法。
［Ｃ３］
前記拡張部分の前記持続時間を決定することが、
前記ＮＤＰフレームを受信することを意図された前記少なくとも１つの局に関連するＩＥＥＥ８０２．１１物理レイヤ仕様に少なくとも部分的に基づいて、前記拡張部分の前記持続時間を決定すること
をさらに備える、Ｃ２に記載の方法。
［Ｃ４］
前記ＮＤＰフレームを生成することが、
前記ＮＤＰフレームに応答して与えられるべきチャネル状態情報（ＣＳＩ）応答のためのＣＳＩパラメータを決定することと、
前記ＣＳＩパラメータの指示を前記ＮＤＰフレーム中に含めることと
を備える、Ｃ１に記載の方法。
［Ｃ５］
前記ＮＤＰフレームを生成することが、
前記ＮＤＰフレームを受信することを意図された少なくとも１つの局のための制御情報を決定することと、
前記制御情報を前記ＮＤＰフレーム中に含めることと
をさらに備える、Ｃ１に記載の方法。
［Ｃ６］
前記制御情報は、前記フレームがＮＤＰフレームであるという指示を備える、Ｃ５に記載の方法。
［Ｃ７］
前記ＮＤＰフレームがＨＥ信号フィールドを含み、ここにおいて、前記ＨＥ信号フィールド中の少なくとも１ビットは、前記フレームがＮＤＰフレームであることを示す、Ｃ６に記載の方法。
［Ｃ８］
前記フレームがＮＤＰフレームであるという前記指示が、レガシー信号フィールド中の長さインジケータの値を備える、Ｃ６に記載の方法。
［Ｃ９］
前記ＮＤＰフレームを生成することが、
ＨＥ−ＳＩＧ−Ａとして指定される第１のＨＥ信号フィールドと、前記第１の信号フィールドとは異なる第２のＨＥ信号フィールドとを含むように、前記非レガシー部分を生成すること
を備える、Ｃ１に記載の方法。
［Ｃ１０］
前記ＮＤＰフレームを生成することが、
少なくとも１つの局のための制御情報を決定することと、
前記制御情報を前記第１のＨＥ信号フィールド中に含めることと
をさらに備える、Ｃ９に記載の方法。
［Ｃ１１］
前記ＮＤＰフレームを生成することが、
少なくとも１つの局のための制御情報を決定することと、
前記制御情報を前記第２のＨＥ信号フィールド中に含めることと
をさらに備える、Ｃ９に記載の方法。
［Ｃ１２］
前記第２のＨＥ信号フィールドがＨＥショートトレーニングフィールド構造を備える、Ｃ９に記載の方法。
［Ｃ１３］
前記第２のＨＥ信号フィールドがＨＥロングトレーニングフィールド構造を備える、Ｃ９に記載の方法。
［Ｃ１４］
前記ＨＥロングトレーニングフィールド構造中の少なくともＨＥロングトレーニングフィールドの数に少なくとも部分的に基づいて、前記拡張部分の持続時間を決定することをさらに備える、Ｃ１３に記載の方法。
［Ｃ１５］
前記物理レイヤプリアンブルの前記レガシー部分中の少なくとも長さフィールドに少なくとも部分的に基づいて、前記拡張部分の持続時間を決定することをさらに備え、ここにおいて、前記長さフィールドが、前記ＨＥロングトレーニングフィールド構造中のＨＥロングトレーニングフィールドの数に少なくとも部分的に基づく、
Ｃ１３に記載の方法。
［Ｃ１６］
前記第２のＨＥ信号フィールドが、前記ＮＤＰフレームに対する応答のためのアップリンクマルチユーザリソースの割振りの指示を備える、Ｃ９に記載の方法。
［Ｃ１７］
前記第２のＨＥ信号フィールドが、チャネル状態情報の局ごとのパラメータ表示に関連する情報を備える、Ｃ９に記載の方法。
［Ｃ１８］
前記拡張部分がパディング波形であり、前記パディング波形が、前記第２のＨＥ信号フィールドとは異なる第３のＨＥ信号フィールドを備える、Ｃ９に記載の方法。
［Ｃ１９］
前記第３のＨＥ信号フィールドが、前記ＮＤＰフレームに対する応答のためのアップリンクマルチユーザリソースの割振りを備える、Ｃ１８に記載の方法。
［Ｃ２０］
前記第３のＨＥ信号フィールドが、チャネル状態情報の局ごとのパラメータ表示を備える、Ｃ１８に記載の方法。
［Ｃ２１］
前記ＮＤＰフレームを前記送信することが、
２０ＭＨｚチャネル上の単一の空間ストリームとして前記第３のＨＥ信号フィールドを送信すること
をさらに備える、Ｃ１８に記載の方法。
［Ｃ２２］
前記ＮＤＰフレームを前記送信することが、
２つまたはそれ以上の２０ＭＨｚチャネルにわたる複製された空間スチームとして前記第３のＨＥ信号フィールドを送信すること
をさらに備える、Ｃ１８に記載の方法。
［Ｃ２３］
前記拡張部分は、情報がないパディング波形である、Ｃ１に記載の方法。
［Ｃ２４］
前記拡張部分が、物理レイヤ情報を有するパディング波形である、Ｃ１に記載の方法。
［Ｃ２５］
前記ＮＤＰフレームを生成することが、ＨＥショートトレーニングフィールドを除外することをさらに備える、Ｃ１に記載の方法。
［Ｃ２６］
前記拡張部分の持続時間が、前記物理レイヤプリアンブルの前記非レガシー部分中のＨＥ信号フィールド中で示される、Ｃ１に記載の方法。
［Ｃ２７］
ＨＥサウンディングプロシージャを示す情報を備えるＮＤＰ告知（ＮＤＰＡ）フレームを生成することと、
前記ＮＤＰフレームを送信するより前に前記ＮＤＰＡフレームを送信することと
をさらに備える、Ｃ１に記載の方法。
［Ｃ２８］
通信デバイスであって、
レガシープリアンブル部分と、非レガシー部分と、拡張部分とを有する物理レイヤプリアンブルを備えるヌルデータパケット（ＮＤＰ）フレームを生成するための手段と、ここにおいて、前記拡張部分が、高効率（ＨＥ）信号情報とパディング波形とからなるグループからの１つのメンバーである、
前記ＮＤＰフレームを送信するための手段と
を備える、通信デバイス。
［Ｃ２９］
前記ＮＤＰフレームを受信することを意図された局に少なくとも部分的に基づいて、前記拡張部分の持続時間を決定すること
をさらに備え、
ここにおいて、前記ＮＤＰフレームが、前記ＮＤＰフレームを受信することを意図された前記局によって処理されるべきであるとき、前記ＮＤＰフレームの前記拡張部分が、ショートフレーム間スペース（ＳＩＦＳ）に対して、前記ＮＤＰフレームを処理するために十分な、推定された追加の時間を与えるために、前記局によって使用されるべきである、Ｃ２８に記載の通信デバイス。
［Ｃ３０］
前記ＮＤＰフレームを生成するための前記手段が、
前記ＮＤＰフレームに応答して与えられるべきチャネル状態情報（ＣＳＩ）応答のためのＣＳＩパラメータを決定するための手段と、
前記ＣＳＩパラメータの指示を前記ＮＤＰフレーム中に含めるための手段と
をさらに備える、Ｃ２８に記載の通信デバイス。
［Ｃ３１］
前記ＮＤＰフレームを生成するための前記手段が、
前記ＮＤＰフレームを受信することを意図された少なくとも１つの局のための制御情報を決定するための手段と、
前記制御情報を前記ＮＤＰフレーム中に含めるための手段と
をさらに備える、Ｃ２８に記載の通信デバイス。
［Ｃ３２］
前記ＮＤＰフレームを生成するための前記手段が、
ＨＥ−ＳＩＧ−Ａとして指定される第１のＨＥ信号フィールドと、前記第１の信号フィールドとは異なる第２のＨＥ信号フィールドとを含むように、前記非レガシー部分を生成するための手段
を備える、Ｃ２８に記載の通信デバイス。
［Ｃ３３］
ＨＥサウンディングプロシージャを示す情報を備えるＮＤＰ告知（ＮＤＰＡ）フレームを生成することと、
前記ＮＤＰフレームを送信するより前に前記ＮＤＰＡフレームを送信することと
をさらに備える、Ｃ２８に記載の通信デバイス。
［Ｃ３４］
通信デバイスであって、
プロセッサと、前記プロセッサに通信可能に結合されたメモリと、前記メモリは、前記プロセッサによって実行されたとき、前記通信デバイスに、
レガシープリアンブル部分と、非レガシー部分と、拡張部分とを有する物理レイヤプリアンブルを備えるヌルデータパケット（ＮＤＰ）フレームを生成することを行わせるコンピュータ可読コードを備え、ここにおいて、前記拡張部分が、高効率（ＨＥ）信号情報とパディング波形とからなるグループからの１つのメンバーである、
前記ＮＤＰフレームを送信するための送信機と
を備える、通信デバイス。
［Ｃ３５］
前記コンピュータ可読コードが、前記プロセッサによって実行されたとき、前記通信デバイスに、
前記ＮＤＰフレームを受信することを意図された局に少なくとも部分的に基づいて、前記拡張部分の持続時間を決定すること
をさらに行わせ、
ここにおいて、前記ＮＤＰフレームが、前記ＮＤＰフレームを受信することを意図された前記局によって処理されるべきであるとき、前記ＮＤＰフレームの前記拡張部分が、ショートフレーム間スペース（ＳＩＦＳ）に対して、前記ＮＤＰフレームを処理するために十分な、推定された追加の時間を与えるために、前記局によって使用されるべきである、Ｃ３４に記載の通信デバイス。
［Ｃ３６］
前記コンピュータ可読コードが、前記プロセッサによって実行されたとき、前記通信デバイスに、
前記ＮＤＰフレームに応答して与えられるべきチャネル状態情報（ＣＳＩ）応答のためのＣＳＩパラメータを決定することと、
前記ＣＳＩパラメータの指示を前記ＮＤＰフレーム中に含めることと
をさらに行わせる、Ｃ３４に記載の通信デバイス。
［Ｃ３７］
前記コンピュータ可読コードが、前記プロセッサによって実行されたとき、前記通信デバイスに、
前記ＮＤＰフレームを受信することを意図された少なくとも１つの局のための制御情報を決定することと、
前記制御情報を前記ＮＤＰフレーム中に含めることと
をさらに行わせる、Ｃ３４に記載の通信デバイス。
［Ｃ３８］
前記コンピュータ可読コードが、前記プロセッサによって実行されたとき、前記通信デバイスに、
ＨＥ−ＳＩＧ−Ａとして指定される第１のＨＥ信号フィールドと、前記第１の信号フィールドとは異なる第２のＨＥ信号フィールドとを含むように、前記非レガシー部分を生成すること
をさらに行わせる、Ｃ３４に記載の通信デバイス。
［Ｃ３９］
前記コンピュータ可読コードが、前記プロセッサによって実行されたとき、前記通信デバイスに、
ＨＥサウンディングプロシージャを示す情報を備えるＮＤＰ告知（ＮＤＰＡ）フレームを生成することと、
前記ＮＤＰフレームを送信するより前に前記ＮＤＰＡフレームを送信するための前記送信機と
をさらに行わせる、Ｃ３４に記載の通信デバイス。
［Ｃ４０］
実行されたとき、デバイスに、
レガシープリアンブル部分と、非レガシー部分と、拡張部分とを有する物理レイヤプリアンブルを備えるヌルデータパケット（ＮＤＰ）フレームを生成することと、ここにおいて、前記拡張部分が、高効率（ＨＥ）信号情報とパディング波形とからなるグループからの１つのメンバーである、
前記ＮＤＰフレームを送信することと
を行わせるコンピュータ可読コードを備える、非一時的コンピュータ可読媒体。
［Ｃ４１］
プロセッサによって実行されたとき、前記デバイスに、
前記ＮＤＰフレームを受信することを意図された局に少なくとも部分的に基づいて、前記拡張部分の持続時間を決定すること
をさらに行わせる前記コンピュータ可読コード、
ここにおいて、前記ＮＤＰフレームが、前記ＮＤＰフレームを受信することを意図された前記局によって処理されるべきであるとき、前記ＮＤＰフレームの前記拡張部分が、ショートフレーム間スペース（ＳＩＦＳ）に対して、前記ＮＤＰフレームを処理するために十分な、推定された追加の時間を与えるために、前記局によって使用されるべきである、Ｃ４０に記載の非一時的コンピュータ可読媒体。
［Ｃ４２］
前記プロセッサによって実行されたとき、前記デバイスに、
前記ＮＤＰフレームに応答して与えられるべきチャネル状態情報（ＣＳＩ）応答のためのＣＳＩパラメータを決定することと、
前記ＣＳＩパラメータの指示を前記ＮＤＰフレーム中に含めることと
をさらに行わせる前記コンピュータ可読コード、Ｃ４０に記載の非一時的コンピュータ可読媒体。
［Ｃ４３］
前記プロセッサによって実行されたとき、前記デバイスに、
前記ＮＤＰフレームを受信することを意図された少なくとも１つの局のための制御情報を決定することと、
前記制御情報を前記ＮＤＰフレーム中に含めることと
をさらに行わせる前記コンピュータ可読コード、Ｃ４０に記載の非一時的コンピュータ可読媒体。
［Ｃ４４］
前記プロセッサによって実行されたとき、前記デバイスに、
ＨＥ−ＳＩＧ−Ａとして指定される第１のＨＥ信号フィールドと、前記第１の信号フィールドとは異なる第２のＨＥ信号フィールドとを含むように、前記非レガシー部分を生成すること
をさらに行わせる前記コンピュータ可読コード、Ｃ４０に記載の非一時的コンピュータ可読媒体。
［Ｃ４５］
前記プロセッサによって実行されたとき、前記デバイスに、
ＨＥサウンディングプロシージャを示す情報を備えるＮＤＰ告知（ＮＤＰＡ）フレームを生成することと、
前記ＮＤＰフレームを送信するより前に前記ＮＤＰＡフレームを送信することと
をさらに行わせる前記コンピュータ可読コード、Ｃ４０に記載の非一時的コンピュータ可読媒体。
［Ｃ４６］
ワイヤレス通信のための方法であって、
レガシープリアンブル部分と、非レガシー部分と、拡張部分とを有する物理プリアンブルを備えるヌルデータパケット（ＮＤＰ）フレームを受信することと、ここにおいて、前記拡張部分が、高効率（ＨＥ）信号情報とパディング波形とからなるグループからの１つのメンバーである、
前記ＮＤＰフレームを処理することと
を備える、方法。
［Ｃ４７］
前記ＮＤＰフレームを処理することが、
ショートフレーム間スペース（ＳＩＦＳ）に対して、前記ＮＤＰフレームを処理するために十分な、推定された追加の時間を与えるために、前記ＮＤＰフレームの前記拡張部分を使用すること
を備える、Ｃ４６に記載の方法。
［Ｃ４８］
通信デバイスであって、
プロセッサと、前記プロセッサに通信可能に結合されたメモリとを備え、前記メモリは、前記プロセッサによって実行されたとき、前記通信デバイスに、
レガシープリアンブル部分と、非レガシー部分と、拡張部分とを有する物理プリアンブルを備えるヌルデータパケット（ＮＤＰ）フレームを受信することと、ここにおいて、前記拡張部分が、高効率（ＨＥ）信号情報とパディング波形とからなるグループからの１つのメンバーである、
前記ＮＤＰフレームを処理することと
を行わせるコンピュータ可読コードを備える、通信デバイス。
［Ｃ４９］
前記プロセッサによって実行されたとき、前記デバイスに、前記ＮＤＰフレームを処理することを行わせる前記コンピュータ可読コードは、前記デバイスに、
ショートフレーム間スペース（ＳＩＦＳ）に対して、前記ＮＤＰフレームを処理するために十分な、推定された追加の時間を与えるために、前記ＮＤＰフレームの前記拡張部分を使用すること
をさらに行わせる、Ｃ４８に記載の通信デバイス。
［Ｃ５０］
通信デバイスであって、
レガシープリアンブル部分と、非レガシー部分と、拡張部分とを有する物理プリアンブルを備えるヌルデータパケット（ＮＤＰ）フレームを受信するための手段と、ここにおいて、前記拡張部分が、高効率（ＨＥ）信号情報とパディング波形とからなるグループからの１つのメンバーである、
前記ＮＤＰフレームを処理するための手段と
を備える、通信デバイス。
［Ｃ５１］
前記ＮＤＰフレームを処理するための前記手段が、
ショートフレーム間スペース（ＳＩＦＳ）に対して、前記ＮＤＰフレームを処理するために十分な、推定された追加の時間を与えるために、前記ＮＤＰフレームの前記拡張部分を使用するための手段
を備える、Ｃ４８に記載の通信デバイス。